(57)【特許請求の範囲】
【請求項１】
畦の長手方向に沿って形成される少なくとも１列の栽培植物の植生部位に対応する植生領域と、上記畦における植生部位の片側又は両側に位置する土壌乾燥部位に対応する通水領域とをそれぞれフィルムの長手方向に沿って有しており、且つ上記通水領域に複数の小孔又はスリットを設けてなる農業用マルチフィルムを用意し、該フィルムを畦上に被覆した後、該フィルムの通水領域を上面から押圧して畦面と共に凹ませることにより、該通水領域に畦の長手方向に沿って延びる１〜１０ｃｍの深さの長尺状水溜部を形成し、該長尺状水溜部に前記フィルムとは別に形成された灌水用チューブを配設し、灌水用チューブから排出された水が前記長尺状水溜部に貯留し、次いで前記小孔又はスリットを介して畦面の土壌乾燥部位に供給されることを特徴とする農業用マルチフィルム下の土壌乾燥防止方法。
【請求項２】
畦の長手方向に沿って形成される少なくとも１列の栽培植物の植生部位の片側又は両側に位置する土壌乾燥部位を上方から押圧して畦の長手方向に沿って延びる長尺状凹部を形成しておき、上記植生部位に対応する植生領域と、上記土壌乾燥部位に対応する通水領域とをそれぞれフィルムの長手方向に沿って有しており、且つ上記通水領域に複数の小孔又はスリットを設けてなる農業用マルチフィルムを用意し、該フィルムの通水領域を上記長尺状凹部に対応させて畦上に被覆した後、該フィルムの通水領域を上面から押圧して上記長尺状凹部と密着した１〜１０ｃｍの深さの長尺状水溜部を形成し、該長尺状水溜部に前記フィルムとは別に形成された灌水用チューブを配設し、灌水用チューブから排出された水が前記長尺状水溜部に貯留し、次いで前記小孔又はスリットを介して畦の土壌乾燥部位に供給されることを特徴とする農業用マルチフィルム下の土壌乾燥防止方法。
【請求項３】
通水領域はフィルムの長手方向に沿って２０ｃｍ以上の幅を有することを特徴とする請求項１又は２記載の農業用マルチフィルム下の土壌乾燥防止方法。
【発明の詳細な説明】
【０００１】
【発明の属する技術分野】
本発明は、農業用マルチフィルム下の土壌乾燥防止方法に関し、詳しくは、１列以上の栽培植物の植生部位を有する畦上に被覆しても、被覆下の土壌中の特に乾燥し易い部位に雨水や散水された水を徐々に取り込んで、該フィルム下の土壌の乾燥を効果的に防止することのできる農業用マルチフィルム下の土壌乾燥防止方法に関する。
【０００２】
【従来の技術】
従来より、農作物の栽培には、地温を上昇させて農作物の育成を図る目的で、畦に農業用マルチフィルムを被覆し、該フィルムに開設した植生孔に臨む畦面に農作物を植生したマルチ栽培が広く行われている。
【０００３】
ところで、かかるマルチ栽培では、畦面に被覆したマルチフィルム上に降り注ぐ雨水や散水された水は、大部分がマルチフィルムの表面を伝わって畦の両側のマルチフィルムが敷設されていない土面に流れ去ってしまう。このため、マルチフィルム下の土壌には適度な給水が行われ難く、マルチフィルム下の土壌への給水は上記植生孔を通って浸入するわずかな水に依存しているのが実情である。
【０００４】
このようにマルチフィルム下の土壌への適度な給水が行われ難いという問題は、やがて畦の土壌中に乾燥部位を形成してしまう問題を惹き起こす。
【０００５】
すなわち、例えば比較的広い面積を有する畦面に農作物を１列に植生したり、畦面に互いに間隔をおいて農作物を２列に植生してマルチ栽培を行う場合、それら植生部位の片側又は両側の畦面は、広い範囲に亘ってマルチフィルムによって完全に遮蔽されているために、これらの部位に位置する土壌には水が行き渡り難くなる。マルチフィルムは畦の土壌内に保水されている水分の蒸発を防止する機能を果たすものの、この土壌内に保水されている水分は農作物の成長に伴って徐々に該農作物に奪い取られていくため、水が行き渡り難い上記植生部位の片側又は両側に位置する土壌からはやがて水分がなくなり、畦の土壌中に乾燥部位を形成させてしまう。また、マルチフィルムは一方で地熱の放出を防止する機能をも果たしているため、かかる土壌中の乾燥部位の存在は、季節によっては地温を過度に上昇させ、農作物の育成に非常に悪影響を及ぼす結果となる。
【０００６】
なお、特公昭３９−２９１４２号公報には、畦面に被覆したマルチフィルムの上面に農作物を挟むように畦に沿って遮水壁を設けると共に、該遮水壁間のフィルムに接合部を設け、該接合部の裂け目を利用して農作物を植生し、遮水壁間に貯溜された水を上記接合部の裂け目からフィルム下の土壌に供給する技術が提案されているが、この技術は農作物の植生部位に水を供給するだけであるため、畦における土壌中に乾燥部位が形成されてしまうことを防止することができるものではなく、ましてや、マルチフィルム上にかかる遮水壁のような堰部材を設けることはフィルムの製造工程を煩雑化させ、コストの増大化を招く原因となり好ましいものではない。
【０００７】
【発明が解決しようとする課題】
本発明は、上記従来事情に鑑みなされたもので、マルチフィルム下の土壌中における乾燥を生じ易い部位の乾燥を確実且つ安価に防止することができる農業用マルチフィルム下の土壌乾燥防止方法を提供することを課題とする。
【００１１】
【課題を解決するための手段】
上記課題を解決する本発明に係る農業用マルチフィルム下の土壌乾燥防止方法の第一は、畦の長手方向に沿って形成される少なくとも１列の栽培植物の植生部位に対応する植生領域と、上記畦における植生部位の片側又は両側に位置する土壌乾燥部位に対応する通水領域とをそれぞれフィルムの長手方向に沿って有しており、且つ上記通水領域に複数の小孔又はスリットを設けてなる農業用マルチフィルムを用意し、該フィルムを畦上に被覆した後、該フィルムの通水領域を上面から押圧して畦面と共に凹ませることにより、該通水領域に畦の長手方向に沿って延びる１〜１０ｃｍの深さの長尺状水溜部を形成し、該長尺状水溜部に前記フィルムとは別に形成された灌水用チューブを配設し、灌水用チューブから排出された水が前記長尺状水溜部に貯留し、次いで前記小孔又はスリットを介して畦面の土壌乾燥部位に供給されることを特徴とする。
【００１３】
また、上記課題を解決する本発明に係る農業用マルチフィルム下の土壌乾燥防止方法の第二は、畦の長手方向に沿って形成される少なくとも１列の栽培植物の植生部位の片側又は両側に位置する土壌乾燥部位を上方から押圧して畦の長手方向に沿って延びる長尺状凹部を形成しておき、上記植生部位に対応する植生領域と、上記土壌乾燥部位に対応する通水領域とをそれぞれフィルムの長手方向に沿って有しており、且つ上記通水領域に複数の小孔又はスリットを設けてなる農業用マルチフィルムを用意し、該フィルムの通水領域を上記長尺状凹部に対応させて畦上に被覆した後、該フィルムの通水領域を上面から押圧して上記長尺状凹部と密着した１〜１０ｃｍの深さの長尺状水溜部を形成し、該長尺状水溜部に前記フィルムとは別に形成された灌水用チューブを配設し、灌水用チューブから排出された水が前記長尺状水溜部に貯留し、次いで前記小孔又はスリットを介して畦の土壌乾燥部位に供給されることを特徴とする。
【００１５】
また、第一及び第二の方法において、通水領域はフィルムの長手方向に沿って２０ｃｍ以上の幅を有することことも好ましい態様である。
【００２１】
【発明の実施の形態】
以下、本発明の実施の形態を図面に基づいて説明する。
【００２２】
図１は本発明に係る農業用マルチフィルムを畦に被覆した状態を示す断面図である。この実施の形態では、畦の長手方向に沿って２列の栽培植物の植生部位を形成した場合について説明する。
【００２３】
図中、１は農業用マルチフィルムであり、このフィルム１は、畦Ａの長手方向に沿って設けられた２列の栽培植物Ｂの植生部位にそれぞれ対応するように、該フィルム１の長手方向に沿って２列の栽培植物Ｂの植生領域Ｐ1 ，Ｐ2 がそれぞれ形成されている。
【００２４】
２は栽培植物Ｂを畦Ａに植生するための植生孔であり、フィルム１の上記植生領域Ｐ1 ，Ｐ2 にそれぞれ開設され、各植生領域Ｐ1 ，Ｐ2 において畦Ａの長手方向に沿って所定の間隔をおいて点在している。この植生孔２は、フィルム１を畦Ａの表面に被覆する前に、予めその植生領域Ｐ1 ，Ｐ2 に形成しておいてもよいし、フィルム１を畦Ａの表面に被覆した後に、その植生領域Ｐ1 ，Ｐ2 に適当な用具を使用して形成してもよい。
【００２５】
また、図中、Ｗはフィルム１の通水領域であり、該領域Ｗには堰部材等のフィルム１表面に突出する部材は何ら形成されておらず、上記植生領域Ｐ1 ，Ｐ2 と同様にフィルム１の長手方向に沿って延在している。
【００２６】
この通水領域Ｗは、フィルム１が畦Ａ上に被覆された際に、畦Ａの土壌乾燥部位ａに対応するように設けられる。この土壌乾燥部位ａとは、畦Ａ上にフィルム１が被覆されることにより植生孔２や畦Ａの側方からの水も行き渡り難いことにより、やがて土壌中の水分が失われ易い部位であり、例えば比較的広い面積を有する畦面に栽培植物を１列に植生したり、畦面に互いに間隔をおいて栽培植物を２列、または３列以上に植生してマルチ栽培を行う場合、それら植生部位の片側又は両側の土壌にある程度の広さを持って位置する。従って、フィルム１の長手方向における通水領域Ｗの幅は、土壌の乾燥が発生し易い範囲に対応して２０ｃｍ以上とすることが好ましい。
【００２７】
具体例を挙げると、スイカのマルチ栽培の場合、畦Ａ上面の幅が約１５０ｃｍであるのに対し、スイカの苗の植生領域Ｐは該畦Ａの側縁から約１０ｃｍの幅に１列に植生する。従って、この１列からなる植生領域Ｐの片側のフィルム１下の土壌には、約１４０ｃｍの比較的広い幅に亘って水が行き渡り難い土壌乾燥部位ａが形成される。この場合にフィルム１の通水領域Ｗは、この約１４０ｃｍの幅に亘ってフィルム１の長手方向に沿って形成されることになる。
【００２８】
この実施の形態に示す畦Ａにおいては、互いに間隔をおいて栽培植物Ｂが２列に植生されている列の間の土壌中に乾燥部位ａが位置して存在している。従って、この実施の形態に示すフィルム１では、通水領域Ｗは該乾燥部位ａに対応するようにフィルム１の植生領域Ｐ1 ，Ｐ2 の列間に位置している。
【００２９】
そして、この通水領域Ｗには複数の小孔３が形成されており、該小孔３を通ってフィルム１の上面から下面へ水が透過できるようになっている。また、この小孔３に代えて線状のスリット（図示せず）を形成して同様の機能を得るようにしてもよい。
【００３０】
本発明に係る農業用マルチフィルム１は、このように土壌乾燥部位ａに対応して、植生領域Ｐ1 ，Ｐ2 の列間に複数の小孔３又はスリットを設けた通水領域Ｗを有しており、これによりフィルム１下の上記土壌乾燥部位ａにもフィルム１の上方からの水の供給を可能として、該土壌乾燥部位ａの乾燥を防ぐことができるようにしている。
【００３１】
小孔３の場合には、その直径は０．０５ｍｍ〜１ｍｍであることが好ましい。これよりも小さすぎるとフィルム１下面への水の透過が満足に行われなくなるばかりでなく、加工も煩雑となる。また、大きすぎると通水領域Ｗにおける水の透過量が多くなりすぎ、該通水領域Ｗにおいて後述する水の貯溜機能が十分に果たせなくなるばかりでなく、かえって土壌中の水分の蒸発を招き易くなり、そして特に何よりも雑草の発生を招き易くなるので好ましくない。線状のスリットとする場合には、上記小孔３の場合と同様の理由から、その長さは１ｍｍ〜１０ｍｍであることが好ましい。
【００３２】
通水領域Ｗにおける小孔３やスリットの個数は特に限定されないが、１〜１０００ケ／１００ｃｍ2 が好ましい。これ未満では通水機能が不十分であり、これを越えるとフィルム強度が低下して破損し易くなるので好ましくない。
【００３３】
かかる小孔３やスリットは、上記個数範囲を満たす限りにおいて、通水領域Ｗの全域に亘って形成してもよいし、通水領域Ｗの長手方向に沿って任意幅の１列又は２列以上の列状に形成するものでもよい。このように小孔３やスリットを通水領域Ｗの長手方向に沿って列状に形成した場合でも、該小孔３やスリットを透過した水はフィルム１下の土壌中に畦Ａの幅方向に拡がりながら浸透していくため、結果的には通水領域Ｗの幅方向に亘って全体的に水が供給され、該通水領域Ｗ下の土壌乾燥部位ａの乾燥を防ぐことができる。
【００３４】
かかる農業用マルチフィルム１は、塩化ビニル系樹脂やポリエチレン、エチレン−酢酸ビニル共重合体のようなポリオレフィン系樹脂等の不透水性の各種熱可塑性合成樹脂を用い、これを公知の方法によりフィルム状に成型することによって得ることができる。
【００３５】
また、上記フィルム１は単層構成であっても多層構成であってもよい。
【００３６】
更に、使用目的によって着色剤、安定剤、無滴剤等を含有することができる。特に無滴剤を含有することで、フィルム１における上記通水領域Ｗにおいて、水の通水性がスムーズに発揮されるようになるので好ましい。無滴剤としては、農業用被覆フィルムに一般的に使用される所謂界面活性剤、例えばグリセリン脂肪酸エステル等が挙げられ、これを上記樹脂中に０．３〜１．０ｗｔ％程度の適量を添加する。
【００３７】
また、フィルム１の厚みは５〜５０μ、好ましくは１０〜３０μである。
【００３８】
かかる農業用マルチフィルム１は、その植生領域Ｐ1 ，Ｐ2 を畦Ａにおける栽培植物Ｂの植生部位に、また通水領域Ｗを畦Ａにおける土壌乾燥部位ａにそれぞれ対応させて該畦Ａ上に被覆して使用する。これにより該フィルム１上に注がれる雨水や散水された水は、通水領域Ｗに形成された小孔３又はスリットからフィルム１下の土壌に透過する。このため雨水や散水された水の透過によって経時的に該通水領域Ｗ下の土壌が締まって徐々に沈んでいき、やがて該通水領域Ｗも凹んでくるようになり、水がこの通水領域Ｗに形成される凹みに貯溜されるようになる。特にフィルム１の通水領域Ｗ上に灌水用のチューブを配設して任意に灌水を行うマルチ栽培の場合には、上記作用が顕著である。従って、畦Ａ上へのフィルム１の被覆時に、該フィルム１の通水領域Ｗには必ずしも水を貯溜させるための凹みを形成させる必要はないが、以下に説明するようにフィルム１に積極的に水を貯溜させるための凹み（長尺状水溜部４）を形成させるようにすれば、フィルム１下の土壌への水の供給効果が高く好ましい。
【００３９】
以下、本発明に係る農業用マルチフィルム下の土壌乾燥防止方法について説明する。
【００４０】
まず、前記構成を備えた農業用マルチフィルム１を用意し、畦Ａにおける栽培植物Ｂの植生部位に該フィルム１の植生領域Ｐ1 ，Ｐ2 が、また、畦Ａにおける土壌乾燥部位ａに該フィルム１の通水領域Ｗがそれぞれ対応するように、整地された畦Ａ上に該フィルム１を被覆した後、フィルム１の上記通水領域Ｗを上面から適当な押え具を用いて押圧することにより畦面（畦Ａの表面）と共に凹ませる。これにより、図１に示すように、フィルム１の通水領域Ｗにはその裏面と畦面とが密着した状態の凹みが形成され、この凹みにより上記通水領域Ｗに畦Ａに沿って延びる長尺状水溜部４を形成する（第一の方法）。
【００４１】
この長尺状水溜部４は、フィルム１の通水領域Ｗに、該フィルム１の上方から降り注ぐ雨水や散水された水を貯溜する機能を果たすもので、その貯溜水を通水領域Ｗに形成されている小孔３又はスリットから該通水領域Ｗ下面の土壌中の乾燥部位ａに徐々に供給することができるようにし、該部位ａの土壌の乾燥を防止するものである。
【００４２】
また、長尺状水溜部４は、上述のように通水領域Ｗの下面と畦Ａの土壌とが密着していることが好ましく、このように密着していることによって、長尺状水溜部４に貯溜された水は、土壌表面の親水力並びに土壌の毛細作用を利用して長尺状水溜部４から小孔３又はスリットを通って畦Ａの土壌内に移動する作用をなすことができる。
【００４３】
この長尺状水溜部４は、フィルム１の通水領域Ｗ上面から畦面と共に押圧して凹ませることによって形成されるため、該フィルム１自体には水を貯溜させるために遮水壁のような特別な堰部材を設ける必要がない。従って、フィルム１自体の製造コストの増大化を招くこともない。
【００４４】
この長尺状水溜部４の深さは、１〜１０ｃｍとする。これよりも浅いと、上述したように経時的には徐々に凹みが深くなるが、長尺状水溜部４における貯水能力が不足し早期において十分に水をフィルム１下に供給し難い。また、これよりも深いと該長尺状水溜部４の形成時にフィルム１が破れ易くなるので好ましくない。
【００４５】
また、長尺状水溜部４は、フィルム１の通水領域Ｗの幅方向全域に亘る幅広状の１本の凹みによって形成する図示の例に限らず、該通水領域Ｗの幅方向内に納まる任意の幅狭の１本の凹みによって形成するようにしてもよく、更に、上記通水領域Ｗの幅方向に亘って２本以上の複数本に分けて凹みを設けることによって、畦Ａの長手方向に沿って複数本の長尺状水溜部４・・を形成するようにしてもよい。これらは畦Ａにおける土壌乾燥部位ａの広さによって適宜選択することができる。
【００４６】
更に、前記構成を備えた農業用マルチフィルム１を用いて上記長尺状水溜部４を形成するには、上述した方法の他に、該フィルム１を畦Ａ上に被覆するに際し、畦Ａの畦面における土壌乾燥部位ａ、すなわち図示例では２列の栽培植物Ｂの植生部位の間を、上方から適当な押え具を用いて押圧して畦Ａに沿って延びる長尺状の凹部を予め形成しておき、該凹部上に上記フィルム１の通水領域Ｗを対応させてフィルム１を畦Ａ上に被覆し、さらにその後に、該フィルム１の通水領域Ｗをその上面から押圧することで、該通水領域Ｗの下面を上記凹部の表面と密着させることによって長尺状水溜部４を形成するようにしても同様の機能を果たすことができる（第二の方法）。
【００４７】
この方法においても、通水領域Ｗの幅方向内に納まる任意の幅狭の１本の長尺状の凹みによって長尺状水溜部４を形成するようにしてもよいし、畦Ａに沿って延びる長尺状の凹部を予め複数本形成しておくことによって、通水領域Ｗ内の幅方向に亘って畦Ａの長手方向に沿う複数本の長尺状水溜部４・・を形成するようにしてもよいことも上記と同様である。
【００４８】
また、以上説明した第一及び第二の方法は、予め複数の小孔３又はスリットを形成した通水領域Ｗを有する農業用マルチフィルムを用いた場合であるが、これら小孔３又はスリットが予め形成されていない農業用マルチフィルムを用いることもでき、これによっても上記第一及び第二の方法と全く同一の機能を果たすことができる。
【００４９】
すなわち、畦Ａの長手方向に沿って形成される２列の栽培植物Ｂの植生部位に対応する植生領域Ｐ1 ，Ｐ2 を長手方向に沿って有するマルチフィルム１を、畦Ａ上に被覆した後に、畦Ａの上記植生部位の間に位置する土壌乾燥部位ａに対応するフィルム１の植生領域Ｐ1 ，Ｐ2 の列間を、その上面から適当な押え具を用いて押圧して畦面と共に凹ませ、これによりまず上記植生領域Ｐ1 ，Ｐ2 の列間に畦Ａに沿って延びる長尺状水溜部４を形成しておき、該長尺状水溜部４の形成後に、適当な穴あけ具等を用いて該長尺状水溜部４の底面又は内面全面に複数の小孔３又はスリットを設けるようにして、結果としてフィルム１の植生領域Ｐ1 ，Ｐ2 の列間に複数の小孔３又はスリットを備えた上記と同様の長尺状水溜部４を形成するようにすることもできる（第三の方法）。
【００５０】
この方法においても長尺状水溜部４を形成するには、上記第三の方法の他に、フィルム１を畦Ａ上に被覆するに際し、畦Ａの畦面における土壌乾燥部位ａ、すなわち図示例における２列の栽培植物Ｂの植生部位の間を、上方から適当な押え具を用いて押圧して畦Ａに沿って延びる長尺状の凹部を予め形成しておき、畦Ａの長手方向に沿って形成される２列の栽培植物Ｂの植生部位に対応する植生領域Ｐ1 ，Ｐ2 を長手方向に沿って有するマルチフィルム１を、該凹部上に上記フィルム１の植生領域Ｐ1 ，Ｐ2 の列間を対応させて畦Ａ上に被覆し、さらにその後に、上記フィルム１の植生領域Ｐ1 ，Ｐ2 の列間をその上面から押圧することで、該フィルム１の植生領域Ｐ1 ，Ｐ2 の列間の下面を上記凹部の表面と密着させることによって長尺状水溜部４を形成するようにし、該長尺状水溜部４の形成後に、適当な穴あけ具等を用いて該長尺状水溜部４の底面又は内面全面に複数の小孔３又はスリットを設けるようにして、結果としてフィルム１の植生領域Ｐ1 ，Ｐ2 の列間に複数の小孔３又はスリットを備えた長尺状水溜部４を形成するようにすることもできる（第四の方法）。
【００５１】
これら第三及び第四の方法によれば、小孔３又はスリットをフィルム１を畦ａ上に被覆した後に現場で加工することになるため、これら小孔３又はスリットが予め加工してあるフィルムを使用する必要がなくなる。
【００５２】
また、これら第三及び第四の方法によっても、長尺状水溜部４は１本に限らず、複数本形成するようにしてもよいことはもちろんである。
【００５３】
更に、これら第三及び第四の方法において、畦Ａの土壌乾燥部位ａに対応するフィルム１上面の領域、すなわちフィルム１の植生領域Ｐ1 ，Ｐ2 の列間は、該フィルム１の長手方向に沿って２０ｃｍ以上の幅を有することが好ましく、該領域内に上記長尺状水溜部４が形成されることになる。
【００５４】
図２は、以上の第一乃至第四の方法において、特にビニルハウスやトンネル等内でマルチ栽培を行う場合に好ましい実施の形態を示す斜視図である。図２において図１と同一構成は同一符号を付してある。
【００５５】
この実施の形態に示す方法は、畦Ａ上に被覆したフィルム１に形成された長尺状水溜部４に灌水用チューブ５を配設し、該灌水用チューブ５からの灌水によって上記長尺状水溜部４内に水を供給して貯溜するようにしたものである。
【００５６】
すなわち、上記第一の方法では、フィルム１の通水領域Ｗを上面から押圧して畦面と共に凹ませることにより、上記植生領域Ｐ1 ，Ｐ2 の列間に畦Ａに沿って延びる長尺状水溜部４を形成した後、該長尺状水溜部４内に灌水用チューブ５を配設する。
【００５７】
上記第二の方法では、フィルム１の通水領域Ｗを、予め畦Ａに形成しておいた長尺状の凹部に対応させて畦Ａ上に被覆し、該フィルム１の通水領域Ｗを上面から押圧して上記凹部と密着させて長尺状水溜部４を形成した後、該長尺状水溜部４内に灌水用チューブ５を配設する。
【００５８】
また、上記第三の方法では、フィルム１を畦Ａ上に被覆して該フィルム１の植生領域Ｐ1 ，Ｐ2 の列間を上面から押圧して畦面と共に凹ませることにより上記植生領域Ｐ1 ，Ｐ2 の列間に畦Ａに沿って延びる長尺状水溜部４を形成すると共に、該長尺状水溜部４に複数の小孔３又はスリットを設けた後、該長尺状水溜部４内に灌水用チューブ５を配設する。
【００５９】
上記第四の方法では、フィルム１の植生領域Ｐ1 ，Ｐ2 の列間を、予め畦Ａに形成しておいた長尺状の凹部に対応させて畦Ａ上に被覆し、該フィルム１の植生領域Ｐ1 ，Ｐ2 の列間を上面から押圧して上記凹部と密着させて長尺状水溜部４を形成すると共に、該長尺状水溜部４に複数の小孔３又はスリットを設けた後、該長尺状水溜部４内に灌水用チューブ５を配設する。
【００６０】
上記灌水用チューブ５には、その長手方向に沿って複数の開孔６が設けられており、該チューブ５内を流通する水をこの開孔６から吐出させることにより長尺状水溜部４に灌水し、この水を長尺状水溜部４内に貯溜する。従って、降雨による水の供給が望めないビニルハウスやトンネル等内で上記第一〜第四の方法によるマルチ栽培を行う場合に有益である。
【００６１】
しかも、灌水用チューブ５からの灌水を行わない非灌水時にも、この灌水用チューブ５が長尺状水溜部４内に配設されていることによって、該長尺状水溜部４に形成されている小孔３又はスリットを塞ぐ役目をなし、フィルム１下の土壌中の水分が不用意に蒸発することを防いで土壌の乾燥を防止することができる利点がある。この場合、灌水用チューブ５からの灌水は、該灌水用チューブ５の開孔６から狭い幅部分に滴下されるので、小孔３又はスリットは、長尺状水溜部４における灌水用チューブ５のほぼ直下のみに形成しておけばよく、このほうがフィルム１下の土壌中の水分の不用意な蒸発を防ぐ上からは好ましい。
【００６２】
また、かかる灌水用チューブ５は、ビニルハウスやトンネル等内で上記第一〜第四の方法によるマルチ栽培を行う場合に限らず、露地で上記第一〜第四の方法によるマルチ栽培を行う場合にも好ましく用いることができることはもちろんである。特に露地で上記第一〜第四の方法によるマルチ栽培を行う場合には、灌水用チューブ５からの灌水を行わない非灌水時に、フィルム１下の土壌中の水分が不用意に蒸発することを防いで土壌の乾燥を防止する上記効果が一層顕著に期待できる。
【００６３】
更に、長尺状水溜部４を複数本形成した場合、各長尺状水溜部４内にそれぞれ灌水用チューブ５を配設してもよい。
【００６４】
以上説明した実施の形態は、いずれも畦に２列の栽培植物の植生部位を設け、農業用マルチフィルムにはその２列の植生部位に対応する２列の植生領域を形成した場合の農業用マルチフィルム及び農業用マルチフィルム下の土壌乾燥防止方法について示したが、これに限定されず、畦に１列又は３列以上の栽培植物の植生部位を設け、農業用マルチフィルムにはその１列又は３列以上の植生部位に対応する植生領域を形成するようにしたものでもよい。その場合、農業用マルチフィルムに形成される通水領域並びに長尺状水溜部は、畦における上記１列又は３列以上の植生部位の片側又は両側に位置する土壌乾燥部位に対応するものとなることはもちろんである。
【００６５】
【発明の効果】
本発明によれば、マルチフィルム下の土壌中における乾燥を生じ易い部位の乾燥を確実且つ安価に防止することができる農業用マルチフィルム下の土壌乾燥防止方法を提供することができる。
【図面の簡単な説明】
【図１】  本発明の実施の形態を示す縦断面図
【図２】  水溜部に灌水用チューブを配設した状態を示す斜視断面図
【符号の説明】
Ａ  畦
Ｂ  栽培植物
Ｐ  植生領域
Ｗ  通水領域
ａ  土壌乾燥部位
１  農業用マルチフィルム
２  植生孔
３  小孔
４  長尺状水溜部
５  灌水用チューブ
６  開孔
【図１】
0003806511.tif 000002
【図２】
0003806511.tif 000003